(57)【要約】      （修正有）【課題】集合住宅や戸建住宅等における玄関ドア等の遮蔽物に設置し、遮蔽物外側の電波を遮蔽物内側に中継する中継器用アンテナを提供する。【解決手段】遮蔽物外側に設けられた外側アンテナ１０と、外側アンテナ１０に接続され、遮蔽物外側から内側に通じる外側ケーブル３０と、外側ケーブル３０と接続された分岐コネクタ４０と、分岐コネクタ４０と内側ケーブル３２を介して接続され、遮蔽物内側に設けられた内側アンテナ２０と、を有し、分岐コネクタ４０は、少なくとも一つのコネクタ部が中継器５０に中継器ケーブル３１を介して接続される。【選択図】図１
0003193050.tif 000002
【実用新案登録請求の範囲】
【請求項１】
遮蔽物外側に設けられた外側アンテナと、
前記外側アンテナに接続され、遮蔽物外側から内側に通じる外側ケーブルと、
前記外側ケーブルと接続された分岐コネクタと、
前記分岐コネクタと内側ケーブルを介して接続され、遮蔽物内側に設けられた内側アンテナと、を有し、
前記分岐コネクタは、少なくとも一つのコネクタ部が中継器に中継器ケーブルを介して接続されることを特徴とする中継器用アンテナ。
【請求項２】
遮蔽物の外側から内側に通じるフレームが該遮蔽物の上部形状に応じた断面略Ω形状に形成されており、
該フレームの遮蔽物外側の鍔部には前記外側アンテナが固定されており、
該フレームの凹部又は該凹部内面に周設されたゴム板に形成された溝に前記外側ケーブルが配設され、
該凹部と、該ゴム板により前記外側ケーブルが挟持されており、
該フレームの遮蔽物内側の鍔部には前記内側アンテナと前記分岐コネクタがそれぞれ固定されていることを特徴とする請求項１記載の中継器用アンテナ。
【請求項３】
前記凹部には、遮蔽物を水平方向に押圧するための調整器を有することを特徴とする請求項２記載の中継器用アンテナ。
【請求項４】
前記フレームに固定された前記外側アンテナ及び／又は前記内側アンテナは着脱可能であることを特徴とする請求項２又は請求項３記載の中継器用アンテナ。
【考案の詳細な説明】
【技術分野】
【０００１】
本考案は、マンション等の集合住宅や戸建住宅における玄関ドア等の遮蔽物に設置し、遮蔽物外側の電波を遮蔽物内側に中継する中継器用アンテナに関するものである。
【背景技術】
【０００２】
近年、無線ＬＡＮ等の電波によりデータを送受信する機会が増加している。それに伴う様々なサービスも増加している。例えば、マンション等の集合住宅において、共有スペースに電波のアクセスポイント（親機）を設置し、そのアクセスポイントから発せられる電波を集合住宅の各部屋に届けるサービス等がある。このサービスは、アクセスポイントの設置だけで各部屋に電波を提供することができるため、大掛かりな有線引込工事等を必要としないメリットがある。
【考案の概要】
【考案が解決しようとする課題】
【０００３】
しかし、共有スペースに設置されたアクセスポイントからの電波は、各部屋の玄関ドア等の遮蔽物に阻まれて室内まで届かない場合があった。遮蔽物の素材や形状等により、電波の届き具合が変わるため、一律にこのサービスを満足して提供することができなかった。
このような例に限らず、遮蔽物により電波の送受信が十分にできない問題は様々な場面であった。
【課題を解決するための手段】
【０００４】
本考案に係る中継器用アンテナは、遮蔽物外側に設けられた外側アンテナと、
外側アンテナに接続され、遮蔽物外側から内側に通じる外側ケーブルと、
外側ケーブルと接続された分岐コネクタと、
分岐コネクタと内側ケーブルを介して接続され、遮蔽物内側に設けられた内側アンテナと、を有し、
分岐コネクタは、少なくとも一つのコネクタ部が中継器に中継器ケーブルを介して接続される。
【０００５】
好ましくは、遮蔽物の外側から内側に通じるフレームが遮蔽物の上部形状に応じた断面略Ω形状に形成されており、
フレームの遮蔽物外側の鍔部には外側アンテナが固定されており、
フレームの凹部又は凹部内面に周設されたゴム板に形成された溝に外側ケーブルが配設され、
凹部と、ゴム板により外側ケーブルが挟持されており、
フレームの遮蔽物内側の鍔部には内側アンテナと分岐コネクタがそれぞれ固定されていることである。
【０００６】
また好ましくは、凹部には、遮蔽物を水平方向に押圧するための調整器を有することである。
【０００７】
また好ましくは、フレームに固定された外側アンテナ及び／又は内側アンテナは着脱可能であることである。
【考案の効果】
【０００８】
本考案に係る中継器用アンテナは、遮蔽物外側に外側アンテナを有するため、遮蔽物の素材や形状に左右されることなく、共有スペース等に設置されたアクセスポイントからの電波を受信することができる。その受信された電波の信号は、遮蔽物外側から内側に通じる外側ケーブル、分岐コネクタ、中継器ケーブルを介して中継器に送信され、中継器から中継器ケーブル、分岐コネクタ、内側ケーブルを介して内側アンテナに送信される。そのため、内側アンテナは、遮蔽物の素材や形状に左右されることなくアクセスポイントからの電波を遮蔽物内側に送信することができる。
このため、本考案の中継器用アンテナにより、アクセスポイントからの電波を効率よく遮蔽物内側に届けることができる。また、アクセスポイントの設置だけで各部屋に電波を提供するサービスをさらに普及させることもできる。
【０００９】
さらに、遮蔽物の外側から内側に通じるフレームが遮蔽物の上部形状に応じた断面略Ω形状に形成されており、外側アンテナ、内側アンテナ、分岐コネクタがそのフレームに固定されているため、中継器用アンテナを容易に設置することができる。つまり、フレームの凹部を遮蔽物上部に載置し、中継器ケーブルと中継器を接続するだけで施行が完了する。フレームがあることにより、各部材（例えば、外側アンテナや内側アンテナ）をそれぞれ遮蔽物の周辺に設置する必要がなくなるため、中継器用アンテナの設置の手間を減らすことができる。また、遮蔽物が開閉する場合にアンテナ等に加わる衝撃を和らげることができる。
フレームの凹部又は凹部内面に周設されたゴム板に形成された溝に外側ケーブルが配設され、その凹部と、そのゴム板により外側ケーブルが挟持されているため、外側ケーブルを外部の衝撃から保護することができる。また、遮蔽物が開閉する場合に遮蔽物上部や天井との摩擦により、外側ケーブルが断線する可能性を減らすことができる。さらに、凹部内面にゴム板を周設させることで、ゴム板がドアに密着し、フレームをしっかりと保持することができる。また、ゴム素材であれば遮蔽物を通じて発生する静電気等から保護すること（静電防止効果）も期待できる。
【００１０】
凹部には、調整器を有することにより、調整器が遮蔽物を水平方向に押圧するため、フレームを遮蔽物に固定させることができる。そのため、フレームの凹部の横幅が、遮蔽物の板厚より大きければ、遮蔽物の板厚に関係なく、フレームの保持が可能となる。
【００１１】
フレームに固定された外側アンテナ、内側アンテナが着脱可能であることにより、外側アンテナ、内側アンテナをフレームの一箇所だけではなく任意の場所に固定することができる。そのため、遮蔽物や周辺の状況により、現在の外側アンテナ、内側アンテナの固定位置が不適当であると判断した場合は、フレームの別の箇所等の最適な位置に固定することが可能となる。
【図面の簡単な説明】
【００１２】
【図１】本考案の第一の実施例における中継器用アンテナの概念斜視図である。
【図２】図１における中継器用アンテナのＡ―Ａ’線断面図である。
【図３】(a)は図１における中継器用アンテナのＢ―Ｂ’線切断部端面図である。(b)、(c)は、(a)の一変形例を示す図である。
【図４】図２において遮蔽物に本実施例を設置した断面図である。
【図５】図４において、さらに調整器を備えた第二の実施例における中継器用アンテナの断面図である。
【図６】本考案の第三の実施例における中継器用アンテナの概念斜視図である。
【考案を実施するための形態】
【００１３】
本考案の第一の実施例における中継器用アンテナ１００の構成を以下に説明する。
【００１４】
図１は、本考案の第一の実施例における中継器用アンテナの概念斜視図を示す。図２は、図１における中継器用アンテナのＡ―Ａ’線断面図を示す。図３(a)は、図１における中継器用アンテナのＢ―Ｂ’線切断部端面図を示す。図３(b)、図３(c)は、図３(a)の一変形例を示す。図４は、図２において遮蔽物に本実施例を設置した断面図を示す。
【００１５】
図１の中継器用アンテナ１００は、遮蔽物２００外側に設けられた外側アンテナ１０と、外側アンテナ１０に接続され、遮蔽物２００外側から内側に通じる外側ケーブル３０と、外側ケーブル３０と接続された分岐コネクタ４０と、分岐コネクタ４０と内側ケーブル３２を介して接続され、遮蔽物２００内側に設けられた内側アンテナ２０と、遮蔽物２００の外側から内側に通じ、遮蔽物２００の上部形状に応じた断面略Ω形状のフレーム６０と、フレーム６０の凹部内面６１ａに周設されたゴム板７０により構成されている。分岐コネクタ４０のコネクタ部の一つは、中継器５０に中継器ケーブル３１を介して接続されている。
【００１６】
外側アンテナ１０は、アクセスポイントからの電波を受信するためのアンテナであり、受信した信号を外側ケーブル３０、分岐コネクタ４０、中継器ケーブル３１を通じて中継器５０に送信する。図１の外側アンテナ１０は、外側アンテナ固定部１１によりフレーム６０の鍔部６２に着脱可能に固定されている。着脱可能な固定方法としては、ネジ止めなど周知の方法でよい。また、フレーム６０がない場合は、遮蔽物２００やその周辺に固定してもよい。なお、本実施例における外側アンテナ１０は受信に用いられているが、送受信可能であるため、電波を送信することも可能である。
【００１７】
外側ケーブル３０は、図２に示されるように、外側アンテナ１０に接続され、フレーム６０の凹部６１に形成された溝６３を通り、分岐コネクタ４０に接続されている。図３(a)に示されるように、外側ケーブル３０はフレーム６０の凹部６１に形成された溝６３に配設されており、凹部内面６１ａに周設されたゴム板７０により挟持されているため、外部の衝撃等から外側ケーブル３０を保護することができる。外側ケーブル３０が複数になる場合は、図３(b)のように複数の溝６３を形成すればよい。また、外側ケーブル３０がフラットケーブルである場合は、その形状にあわせた断面略長方形の溝６３を形成してもよい。また、図３(c)のように、溝６３はフレーム６０の凹部６１だけでなくゴム板７０に形成することもできる。
【００１８】
分岐コネクタ４０は、外側ケーブル３０、中継器ケーブル３１、内側ケーブル３２に接続されており、外側ケーブル３０からの信号を中継器ケーブル３１に伝え、中継器ケーブル３１からの信号を内側ケーブル３２に伝える役割をしている。分岐コネクタ４０は、フレーム６０の鍔部６２に固定されているが、フレーム６０がない場合は、遮蔽物２００やその周辺に固定してもよい。
【００１９】
内側ケーブル３２は、分岐コネクタ４０と内側アンテナ２０に接続されている。中継器５０から送られてきた信号を中継器ケーブル３１、分岐コネクタ４０を介して内側アンテナ２０に伝える役割をしている。
【００２０】
内側アンテナ２０は、内側ケーブル３２に接続されており、電波を室内に送信する役割を果たしている。内側アンテナ２０は、内側アンテナ固定部２１によりフレーム６０の鍔部６２に着脱可能に固定されているが、遮蔽物２００やその周辺に固定してもよい。着脱可能な固定方法としては、ネジ止めなど周知の方法でよい。なお、本実施例における内側アンテナ２０は送信に用いられているが、送受信可能であるため、電波を受信することも可能である。
【００２１】
フレーム６０は、凹部６１と２つの鍔部６２からなり、遮蔽物２００外側の鍔部６２には外側アンテナ１０が、遮蔽物２００内側の鍔部６２には、内側アンテナ２０、分岐コネクタ４０、中継器５０がそれぞれ固定されている。凹部６１には、溝６３が形成されており、外側ケーブル３０が配設されている。凹部内面６１ａには、ゴム板７０が周設されている。フレーム６０があることにより、フレーム６０の凹部６１を遮蔽物２００上部に載置し、中継器ケーブル３１と中継器５０を接続するだけで施行が完了するため、中継器ケーブル３１の設置が容易にできる。また、それぞれの部材を保護することができる。
【００２２】
ゴム板７０は、凹部内面６１ａに周設されている。凹部内面６１ａへの固定方法は、両面テープ等が考えられる。ゴム板７０があることにより、遮蔽物２００との接触の際に、摩擦係数が向上し、フレーム６０を遮蔽物２００にしっかりと保持することができる。また、ゴム素材であれば静電防止効果も期待できる。
【００２３】
本考案の第二の実施例における中継器用アンテナ１０１の構成を以下に説明する。
【００２４】
図５は、図４において、さらに調整器８０を備えた第二の実施例における中継器用アンテナの断面図を示す。
【００２５】
第二の実施例は、第一の実施例に、さらに凹部６１に調整器８０を有していることが特徴である。調整器８０は、凹部６１両側から遮蔽物２００を水平方向に押圧することによってフレーム６０を遮蔽物２００に固定する。調整器８０があることにより、遮蔽物２００の板厚に関係なく、フレーム６０を遮蔽物２００に保持することが可能となる。なお、この調整器８０は凹部６１の両側に有する場合だけでなく、片側に一つだけ有していても同様の機能を発揮することができる。
【００２６】
本考案の第三の実施例における中継器用アンテナ１０２の構成を以下に説明する。
【００２７】
図６は、本考案の第三の実施例における中継器用アンテナの概念斜視図を示す。
【００２８】
第三の実施例は、第一の実施例における遮蔽物２００内側の鍔部６２が、上鍔部６２ａ、下鍔部６２ｂの２段に形成されていることが特徴である。鍔部６２、中継器５０、分岐コネクタ４０、内側アンテナ２０の大きさ等の理由により、鍔部６２にこれらを載置するスペースがない場合に適している。
上鍔部６２ａには、分岐コネクタ４０、内側アンテナ２０が固定されており、下鍔部６２ｂには、中継器５０が固定されている。外側ケーブル３０、内側ケーブル３２、分岐コネクタ４０、中継器ケーブル３１の接続関係は、第一の実施例と同様である。外側ケーブル３０は、フレーム６０の溝６３、凹部６１のケーブル孔６４を通り分岐コネクタ４０に接続されている。
なお、上鍔部６２ａと下鍔部６２ｂのどちらに分岐コネクタ４０、内側アンテナ２０、中継器５０を固定するかは任意であり、例えば、上鍔部６２ａに内側アンテナ２０、下鍔部６２ｂに、分岐コネクタ４０、中継器５０を固定する組合せでもよい。
【００２９】
本考案の第一の実施例における中継器用アンテナ１００の使用方法を以下に説明する。
【００３０】
図４に示すように、フレーム６０の凹部６１を遮蔽物２００上面に載置し、中継器５０を鍔部６２に固定する。その後、中継器５０と中継器ケーブル３１を接続し、中継器ケーブル３１と分岐コネクタ４０を接続すれば、アクセスポイントからの電波を中継することができる。なお、第三の実施例における中継器用アンテナ１０２も同様の方法で使用することができる。
【００３１】
本考案の第二の実施例における中継器用アンテナ１０１を使用するためには、中継器５０の下鍔部６２ｂへの固定と、中継器５０、中継器ケーブル３１、分岐コネクタ４０の接続が必要である。その後、調整器８０により、遮蔽物２００を水平方向に押圧し、フレーム６０を固定することによって使用することができる。
【００３２】
本考案は、アクセスポイントからの電波を、遮蔽物の素材や形状等によらず、遮蔽物内側に中継することができる画期的な考案であり、具体的には、集合住宅等において無線ＬＡＮ等をより簡便で低価格に利用することに貢献するものである。
【符号の説明】
【００３３】
１０            外側アンテナ
１１            外側アンテナ固定部
２０            内側アンテナ
２１            内側アンテナ固定部
３０            外側ケーブル
３１            中継器ケーブル
３２            内側ケーブル
４０            分岐コネクタ
５０            中継器
６０            フレーム
６１            凹部
６１ａ          凹部内面
６２            鍔部
６２ａ          上鍔部
６２ｂ          下鍔部
６３            溝
７０            ゴム板
８０            調整器
１００            第一の実施例における中継器用アンテナ
１０１            第二の実施例における中継器用アンテナ
１０２            第三の実施例における中継器用アンテナ
２００            遮蔽物
【図１】
0003193050.tif 000003
【図２】
0003193050.tif 000004
【図３】
0003193050.tif 000005
【図４】
0003193050.tif 000006
【図５】
0003193050.tif 000007
【図６】
0003193050.tif 000008